(57)【要約】【課題】小物商品であっても一個ずつ消費者が購入できるように、小物商品一個ずつに貼付することができるラベルが台紙に一定の間隔をもって仮着されたラベル記録紙を提供しようとするものである。【解決手段】ラベル３には、ラベル高さの低い部分３ａと高い部分３ｂとが形成されている。そして、ラベル３の平面のラベル高さの高い部分３ｂの上下部分の中央部には折り曲げ部３ｃが破線で表示され、ラベル高さの高い部分３ｂが折り曲げ部３ｃで上下に折り曲げられる。ラベル３を鉛筆６に貼付させる場合は、先ずラベル高さの低い部分３ａを鉛筆６に巻回させ、次にラベル高さの高い部分３ｂを折り曲げ部３ｃで上下に折り曲げてラベル高さの高い部分３ｂの裏面を貼り合わせる。【選択図】図３
0003130532.tif 000002
【実用新案登録請求の範囲】
【請求項１】
帯状の台紙に一定の間隔をもってラベルが仮着されたラベル記録紙において、
前記ラベルは、ラベル高さが低い部分と高い部分とが形成され、該ラベル高さが高い部分の上下部分の中央部に折り曲げ部が設けられていると共に、該折り曲げ部から前記ラベル高さの高い部分が折り曲げられて貼り合わされたときの高さが、前記ラベル高さの低い部分と同一に又はより高くなっていることを特徴とするラベル記録紙。
【請求項２】
帯状の台紙に一定の間隔をもってラベルが仮着されたラベル記録紙において、
前記ラベルは、ラベル高さが低い部分と高い部分とが形成され、該ラベル高さの高い部分の左右部分の中央部に折り曲げ部が設けられていることを特徴とするラベル記録紙。
【考案の詳細な説明】
【技術分野】
【０００１】
本考案は、小物商品にも容易に貼付することができるラベルを帯状の台紙に一定間隔をもって仮着されたラベル記録紙に関する。
【背景技術】
【０００２】
従来、小物商品が販売される場合は、小物商品が小分けされてポリ袋などに一定量が収納され、このポリ袋に商品情報が印字されたラベルが貼付された状態で店頭に陳列されている。
【０００３】
このように小分けされた小物商品が収納されたポリ袋の開口部が、商品情報が印字された吊り下げラベルによって接合されている。また、この吊り下げラベルの中央部に吊り下げリングが形成され、この吊り下げリングに陳列棒が引っ掛けられて小物商品が陳列されている吊り下げラベルが知られている（特許文献１）。
【特許文献１】特開平０６−２１４５０５号公報
【考案の開示】
【考案が解決しようとする課題】
【０００４】
しかしながら、特許文献１においては、小物商品を小分けしてポリ袋などに一定量が収納されて陳列されているので、消費者は小物商品を一個ずつ購入することができないという問題があった。
【０００５】
本考案は、上記事案に鑑みて成されたもので、小物商品一個ずつに貼付することができるラベルが台紙に一定の間隔をもって仮着されたラベル記録紙を提供しようとするものである。
【課題を解決するための手段】
【０００６】
上記の課題を解決するために請求項１に記載のラベル記録紙は、帯状の台紙に一定の間隔をもってラベルが仮着されたラベル記録紙において、前記ラベルは、ラベル高さが低い部分と高い部分とが形成され、該ラベル高さが高い部分の上下部分の中央部に折り曲げ部が設けられていると共に、該折り曲げ部から前記ラベル高さの高い部分が折り曲げられて貼り合わされたときの高さが、前記ラベル高さの低い部分と同一に又はより高くなっているものである。
【０００７】
また、上記の課題を解決するために請求項２に記載のラベル記録紙は、帯状の台紙に一定の間隔をもってラベルが仮着されたラベル記録紙において、前記ラベルは、ラベル高さが低い部分と高い部分とが形成され、該ラベル高さの高い部分の左右部分の中央部に折り曲げ部が設けられているものである。
【考案の効果】
【０００８】
請求項１に係るラベル記録紙によれば、帯状の台紙に一定の間隔をもってラベルが仮着されたラベル記録紙において、前記ラベルは、ラベル高さが低い部分と高い部分とが形成され、該ラベル高さが高い部分の上下部分の中央部に折り曲げ部が設けられていると共に、該折り曲げ部から前記ラベル高さの高い部分が折り曲げられて貼り合わされたときの高さが、前記ラベル高さの低い部分と同一に又はより高くなっているので、ラベル高さの高い部分の上下部分を折り曲げ部から折り曲げてラベル高さの高い部分の裏面の接着剤層がはみ出さないようにきれいに貼り合わせることができる。また、ラベル高さの低い部分を小物商品に容易に貼付することができるので、小物商品を一個ずつ消費者が購入することができる。さらに、貼り合わせることによって貼り合わせ部分の腰が強くなって波を打つことがなくなるので、この貼り合わせ部分に印字されたバーコードをバーコードスキャナ等で容易にしかも正確に読み取ることができる。
【０００９】
請求項２に係るラベル記録紙によれば、帯状の台紙に一定の間隔をもってラベルが仮着されたラベル記録紙において、前記ラベルは、ラベル高さが低い部分と高い部分とが形成され、該ラベル高さの高い部分の左右部分の中央部に折り曲げ部が設けられているので、前記請求項１に係るラベル記録紙と同様な考案の効果を有する。また、ラベル高さの低い部分の高さ方向と平行に折り曲げ部が設けられているので、折り曲げ部からラベル高さの高い部分が左右に折り曲げられて貼り合わされたときの幅は、ラベル高さの低い部分のラベル高さに関係なく任意の大きさにすることができる。
【考案を実施するための最良の形態】
【００１０】
以下に図面を参照して本考案の好ましい実施の形態について説明する。図１は、本考案の実施の形態に係るラベル記録紙の斜視図である。図２は、ラベルの平面図（ａ）と、裏面図（ｂ）である。図３は、ラベルが鉛筆に貼付された斜視図であって、ラベル高さが高い部分が折り曲げられる前の斜視図（ａ）と、折り曲げられた後の斜視図（ｂ）である。図４は、本考案のその他の実施の形態に係るラベルの平面図（ａ）と、裏面図（ｂ）である。図１において、ラベル記録紙１は、帯状に巻回された台紙２の上に一定間隔をもってラベル３が仮着されている。このラベル記録紙１をプリンタ（図示されていない）に装着することによって、後述する鉛筆６の商品情報４がラベル３に印字される。
【００１１】
図２において、商品情報４がプリンタで印字されて台紙２から剥離された状態のラベル３が示されている。このラベル３には、ラベル高さの低い部分３ａと高い部分３ｂとが形成され、ラベル３の平面（表面）のラベル高さの高い部分３ｂの上下部分の中央部には折り曲げ部３ｃが破線で表示されている。そして、ラベル３の平面のラベル高さの高い部分３ｂの下部分には、プリンタで鉛筆６の商品情報４が印字されている。ここでは、商品情報４として、表示価格４ａとこの表示価格４ａをコード化したバーコード４ｂとが印字されている。
【００１２】
ラベル３の裏面には、全面に亘って接着剤層５が形成されている。また、ラベル高さの高い部分３ｂの高さ２ｄ２は、折り曲げ部３ｃで上下に折り曲げられてラベル高さの高い部分３ｂの裏面が貼り合わされるので、貼り合わせた高さｄ２の２倍の高さとなっている。さらに、ラベル高さの高い部分３ｂが折り曲げ部３ｃで上下に折り曲げられてラベル高さの高い部分３ｂの裏面が貼り合わされたときの高さｄ２が、ラベル高さの低い部分３ａのラベル高さｄ１よりも高くなるように形成されている。
【００１３】
本実施の形態では、折り曲げ部３ｃが破線で表示された場合について説明してあるが、このような破線に限定されることなく、ミシン目や両端にスリットなどの切り欠き部などを設けるようにすることもできる。また、本実施の形態では、ラベル３の平面のラベル高さの高い部分３ｂの下部分にしか商品情報４が印字されていないが、上部分にも商品情報４を印字することもできる。さらに、本実施の形態では、ラベル高さの高い部分３ｂの裏面が貼り合わされたときの高さｄ２が、ラベル高さの低い部分３ａのラベル高さｄ１よりも高くなるように形成されているが、もちろん同一の高さに形成されても良い。
【００１４】
次に図３を参照して、ラベル３を小物商品の一例として鉛筆６に貼付する方法について説明する。先ず、鉛筆６の商品情報４がプリンタで印字されたラベル３を台紙２から剥離させる。次に、ラベル３のラベル高さの低い部分３ａを鉛筆６に巻回（貼付）させ、それからラベル高さの高い部分３ｂを折り曲げ部３ｃで上下に折り曲げてラベル高さの高い部分３ｂの裏面を貼り合わせる。そうすると、貼り合わせた部分は、腰が強くなって波を打つことがなくなる。
【００１５】
本実施の形態では、先にラベル３のラベル高さの低い部分３ａを鉛筆６に巻回させてから、ラベル高さの高い部分３ｂを折り曲げ部３ｃで上下に折り曲げてラベル高さの高い部分３ｂの裏面を貼り合わせているが、先にラベル高さの高い部分３ｂを折り曲げ部３ｃで折り曲げてラベル高さの高い部分３ｂの裏面を貼り合わせてから、ラベル高さの低い部分３ａを鉛筆６に巻回させることもできる。また、本実施の形態では、ラベル高さの高い部分３ｂの上下部分の中央部に折り曲げ部３ｃが破線で表示されているが、ラベル高さの高い部分３ｂを上下に複数回折り曲げて貼り合わせられるように折り曲げ部３ｃを設けることによって、ラベル高さの高い部分３ｂのラベル高さ２ｄ２を、貼り合わせ高さｄ２の整数倍の高さとすることもできる。このように上下に複数回折り曲げて貼り合わせるようにすれば、貼り合わせ部の腰がさらに強くなるので、貼り合わせ部に印字されたバーコード４ｂをスキャナ（図示されていない）で一層確実に読み取ることができる。
【００１６】
また、本実施の形態では、ラベル記録紙１に仮着されているラベル３が小物商品として鉛筆６に貼付されている場合について説明してあるが、このような鉛筆６に限定されることなく、あらゆる商品に貼付することができる。
【００１７】
図４を参照して、その他の実施の形態について説明する。なお、前述した実施の形態と同一の構成要素には同一の符号を付し、その説明を省略する。ラベル３０には、ラベル高さの低い部分３ａと高い部分３０ｂとが形成され、ラベル高さの高い部分３０ｂの左右部分の中央部には折り曲げ部３０ｃが破線で表示されている。したがって、ラベル高さの低い部分３ａの高さ方向と折り曲げ部３０ｃが平行になっている。また、ラベル高さの高い部分３０ｂの右部分に商品情報４が印字されている。本実施の形態では、ラベル高さの高い部分３０ｂの右部分にしか商品情報４が印字されていないが、左部分にも印字することができる。
【００１８】
ラベル高さの高い部分３０ｂの幅２ｄ３０は、折り曲げ部３０ｃで左右に折り曲げられてラベル高さの高い部分３０ｂの裏面が貼り合わされるので、貼り合わせた幅ｄ３０の２倍の大きさとなっている。
【００１９】
次に、ラベル３０を鉛筆６に貼付する方法について説明する。前述した実施の形態と同様に、ラベル３０のラベル高さの低い部分３ａを鉛筆６に巻回させ、それからラベル高さの高い部分３０ｂを折り曲げ部３０ｃで左右に折り曲げてラベル高さの高い部分３０ｂの裏面を貼り合わせる。
【図面の簡単な説明】
【００２０】
【図１】本考案の実施の形態に係るラベル記録紙の斜視図である。
【図２】ラベルの平面図（ａ）と、裏面図（ｂ）である。
【図３】ラベルが鉛筆に貼付された斜視図であって、ラベル高さが高い部分が折り曲げられる前の斜視図（ａ）と、折り曲げられた後の斜視図（ｂ）である。
【図４】本考案のその他の実施の形態に係るラベルの平面図（ａ）と、裏面図（ｂ）である。
【符号の説明】
【００２１】
１    ラベル記録紙
２    台紙
３、３０    ラベル
３ａ    ラベル高さの低い部分
３ｂ、３０ｂ    ラベル高さの高い部分
３ｃ、３０ｃ    折り曲げ部
４    商品情報
４ａ    表示価格
４ｂ    バーコード
５    接着剤層
６    鉛筆
【図１】
0003130532.tif 000003
【図２】
0003130532.tif 000004
【図３】
0003130532.tif 000005
【図４】
0003130532.tif 000006